(57)【特許請求の範囲】
【請求項１】
Ｗｉｒｅｌｅｓｓ−ＵＳＢ規格によって規定された周波数ホッピングのパターンに基づいて、シンボル毎の中心周波数を変化させるホッピング制御手段と、
受信された高周波信号を前記中心周波数に基づいて中間周波数信号に変換する周波数変換手段と、
前記周波数ホッピングのパターンが一巡する間に、前記周波数変換手段によって変換された各中間周波数信号のレベルを検出するレベル検出手段と、
前記レベル検出手段によって検出された中間周波数信号のレベルを前記中心周波数毎に記憶するレベル記憶手段と、
前記中間周波数信号を増幅する中間周波数可変利得アンプと、
前記周波数ホッピングのパターンが一巡した後に、前記レベル記憶手段に記憶された各中心周波数のレベルに応じて前記中間周波数可変利得アンプの利得を調整する利得調整手段と、を備えた無線受信装置。
【請求項２】
前記レベル検出手段は、フレームの先頭にあるプリアンブルシンボルのレベルを検出し、
前記利得調整手段は、前記レベル記憶手段に記憶された各中心周波数のプリアンブルシンボルのレベルに応じて、前記プリアンブルシンボル以降のデータシンボルに対する前記中間周波数可変利得アンプの利得を調整することを特徴とする請求項１に記載の無線受信装置。
【請求項３】
前記利得調整手段は、前記レベル記憶手段に記憶された各中心周波数のプリアンブルシンボルのレベルの平均値に応じて、前記データシンボルに対する前記中間周波数可変利得アンプの利得を調整することを特徴とする請求項２に記載の無線受信装置。
【請求項４】
前記レベル検出手段は、前記中間周波数可変利得アンプの出力が安定する前記中心周波数毎に異なるタイミングで、前記中間周波数信号のレベルを検出することを特徴とする請求項１に記載の無線受信装置。
【発明の詳細な説明】
【技術分野】
【０００１】
本発明は、広帯域な無線伝送路を複数の周波数帯域に分割し、各帯域で周波数ホッピングを行って高周波信号を受信する無線受信装置に関する。
【背景技術】
【０００２】
従来、この種の無線受信装置としては、受信周波数ごとの伝播損失をあらかじめ記憶しておき、受信周波数に応じたレベル制御を行い無線伝送路の広帯域な周波数特性を平坦に保つものが知られている（例えば、特許文献１参照）。
【０００３】
一方、オフィスや家庭などで用いられる無線通信技術分野においては、例えばＩＥＥＥ８０２．１１系の規格に基づいた無線ＬＡＮ（Local Area Network）通信や、Ｗｉｒｅｌｅｓｓ−ＵＳＢ（Wireless-Universal Serial Bus）規格に基づいた無線ＰＡＮ（Personal Area Network）通信などが実用化され、様々な製品が市場に出されている。
【０００４】
これらの無線規格には、周波数拡散を行うために周波数ホッピング機能が規定されたものがある。例えば、Ｗｉｒｅｌｅｓｓ−ＵＳＢ規格では、５２８ＭＨｚ毎のｂａｎｄと呼ばれる帯域を３つまとめてｂａｎｄグループと呼び、ｂａｎｄグループ内でシンボル毎に周波数ホッピングが行われる。
【０００５】
そのため、３つのｂａｎｄの帯域を合わせた１５８４ＭＨｚという広帯域に渡って無線伝送路の周波数特性を平坦にする必要がある。しかしながら、送信レベル出力の周波数特性、空間伝播損失の周波数特性、受信アンプの周波数特性およびＰＣＢ（Printed Circuit Board）損失の周波数特性の影響を受けるため、周波数特性を広帯域に渡って平坦に保つことが困難であった。
【０００６】
このため、従来から送信特性や受信特性の周波数特性を補正することで、無線伝送路の周波数特性を広帯域に渡って平坦に保つことが考えられてきた。例えば、送信側の周波数特性を補正するものとして、空間伝播損失特性を補正する送信電力制御をホッピング周波数に応じて行い、無線伝送路の周波数特性を広帯域に渡って平坦に保つものがある（例えば、特許文献２参照）。
【０００７】
また、受信側の周波数特性を補正するものとして、受信周波数ごとの伝播損失をあらかじめ記憶しておき、受信周波数に応じたレベル制御を行い無線伝送路の周波数特性を広帯域に渡って平坦に保つものがある（例えば、特許文献１参照）。
【０００８】
また、受信側の周波数特性を補正するものとして、ＩＦ（Intermediate Frequency、中間周波数）アンプの利得を精細に制御することで比較的短時間で生じる微小なレベル変動に対応するＡＧＣ（Automatic Gain Control）と、高周波可変利得アンプを制御することで比較的長時間で変化する大きなレベル変動に対応するＡＧＣとを組み合わせたものもある（例えば、特許文献３参照）。
【特許文献１】特開２００６−２２９７３９号公報
【特許文献２】特開２００５−２６９２０２号公報
【特許文献３】特開２００６−２９０１７８号公報
【発明の開示】
【発明が解決しようとする課題】
【０００９】
しかしながら、特許文献１に開示されているものは、受信側のみの周波数特性を平坦に保つことしかできず、中間周波数信号の周波数特性が送信側の周波数特性および空間伝送損失特性の影響を受けるため、中間周波数信号のレベルを一定に保つことができないといった課題があった。
【００１０】
また、特許文献２に開示されているものは、送信側のみの周波数特性を平坦に保つことしかできず、中間周波数信号の周波数特性が空間伝送損失特性および受信側の周波数特性の影響を受けるため、中間周波数信号のレベルを一定に保つことができないといった課題があった。
【００１１】
また、特許文献３に開示されたものは、ＩＦアンプの利得を精細に制御することで比較的短時間で生じる微小なレベル変動に対応したＡＧＣを行うことができ、受信レベルを一定に制御することができる。
【００１２】
しかしながら、Ｗｉｒｅｌｅｓｓ−ＵＳＢのようにシンボル毎に周波数をホッピングさせる高速周波数ホッピングを行う場合には、受信レベルが安定するまでの時間を非常に短くする必要がある。
【００１３】
Ｗｉｒｅｌｅｓｓ−ＵＳＢの場合には、１シンボル内で有効な信号が存在する期間は２４２ｎｓであり、受信レベルが安定する時間を１０ｎｓとしても受信性能に影響が出てくる。このため、特許文献３に開示されたものは、中間周波数信号に変換する周波数変換手段や中間周波数可変利得アンプの遅延などの影響を考慮すると、Ｗｉｒｅｌｅｓｓ−ＵＳＢの受信性能に影響を与えずに、シンボル毎に入力レベルを検出して、リアルタイムにフィードバック系のＡＧＣを行うことは実現不可能である。
【００１４】
このように、特許文献３に開示されたものは、シンボル毎に中心周波数を変化させる高速周波数ホッピング通信を行う場合に、中間周波数信号のレベルを受信側で一定に保つことができないといった課題があった。
【００１５】
本発明は、このような従来の課題を解決するためになされたもので、シンボル毎に中心周波数を変化させる高速周波数ホッピング通信を行う場合に、送信装置から無線受信装置までの全体パスの周波数特性の影響を受けずに、中間周波数信号のレベルを受信側で一定に保つことができる無線受信装置を提供することを目的とする。
【課題を解決するための手段】
【００１６】
本発明の無線受信装置は、Ｗｉｒｅｌｅｓｓ−ＵＳＢ規格によって規定された周波数ホッピングのパターンに基づいて、シンボル毎の中心周波数を変化させるホッピング制御手段と、受信された高周波信号を前記中心周波数に基づいて中間周波数信号に変換する周波数変換手段と、前記周波数ホッピングのパターンが一巡する間に、前記周波数変換手段によって変換された各中間周波数信号のレベルを検出するレベル検出手段と、前記レベル検出手段によって検出された中間周波数信号のレベルを前記中心周波数毎に記憶するレベル記憶手段と、前記中間周波数信号を増幅する中間周波数可変利得アンプと、前記周波数ホッピングのパターンが一巡した後に、前記レベル記憶手段に記憶された各中心周波数のレベルに応じて前記中間周波数可変利得アンプの利得を調整する利得調整手段と、を備えた構成を有している。
【００１７】
この構成により、本発明の無線受信装置は、各中心周波数に対して記憶済みの中間周波数信号のレベルに応じて中間周波数可変利得アンプの利得を調整するため、シンボル毎に中心周波数を変化させる高速周波数ホッピング通信を行う場合に、送信装置から無線受信装置までの全体パスの周波数特性の影響を受けずに、中間周波数信号のレベルを受信側で一定に保つことができる。
【００１８】
なお、前記レベル検出手段は、フレームの先頭にあるプリアンブルシンボルのレベルを検出し、前記利得調整手段は、前記レベル記憶手段に記憶された各中心周波数のプリアンブルシンボルのレベルに応じて、前記プリアンブルシンボル以降のデータシンボルに対する前記中間周波数可変利得アンプの利得を調整するようにしてもよい。
【００１９】
この構成により、本発明の無線受信装置は、フレームの先頭のプリアンブルシンボルの中間周波数信号の各レベルを用いて中心周波数によるレベル差を補正するため、シンボル毎に中心周波数を変化させる高速周波数ホッピング通信を行う場合に、送信装置から無線受信装置までの全体パスの周波数特性の影響を受けずに、受信側で中間周波数信号のレベルを一定に保つことができる。
【００２０】
また、前記利得調整手段は、前記レベル記憶手段に記憶された各中心周波数のプリアンブルシンボルのレベルの平均値に応じて、前記データシンボルに対する前記中間周波数可変利得アンプの利得を調整するようにしてもよい。
【００２１】
この構成により、本発明の無線受信装置は、フレームの先頭のプリアンブルシンボルの中間周波数信号のレベルの各平均値を用いて中心周波数によるレベル差を補正するため、シンボル毎に中心周波数を変化させる高速周波数ホッピング通信を行う場合に、送信装置から無線受信装置までの全体パスの周波数特性の影響を受けずに、受信側で中間周波数信号のレベルを一定に保つことができる。
【００２２】
また、前記レベル検出手段は、前記中間周波数可変利得アンプの出力が安定する前記中心周波数毎に異なるタイミングで、前記中間周波数信号のレベルを検出するようにしてもよい。
【００２３】
この構成により、本発明の無線受信装置は、レベル検出手段の過渡特性期間が経過した安定したタイミングでレベル検出手段に中間周波数のレベルを検出させるため、中間周波数可変利得アンプの利得を適切に調整することができる。
【発明の効果】
【００２４】
本発明は、シンボル毎に中心周波数を変化させる高速周波数ホッピング通信を行う場合に、送信装置から無線受信装置までの全体パスの周波数特性の影響を受けずに、中間周波数信号のレベルを受信側で一定に保つことができる無線受信装置を提供することができる。
【発明を実施するための最良の形態】
【００２５】
以下、図面を参照して本発明の実施の形態について説明する。なお、本実施の形態においては、本発明に係る無線受信装置をＷｉｒｅｌｅｓｓ−ＵＳＢの無線受信装置として適用した例について説明する。
【００２６】
（第１の実施の形態）
図１は、本発明の第１の実施の形態の無線受信装置を示すブロック図である。
【００２７】
図１において、無線受信装置１は、高周波信号が受信されるアンテナ１０と、受信された高周波信号を増幅する低雑音増幅器１１と、局部周波数信号を発生する局部発信器１２と、高周波信号を局部周波数信号にミキシングすることにより中間周波数信号に変換する周波数変換器１３と、中間周波数信号を増幅する中間周波数可変利得アンプ１４とを備えている。
【００２８】
また、無線受信装置１は、周波数変換器１３によって変換された中間周波数のレベルを検出するレベル検出器１５と、周波数ホッピング通信を行うために周波数をホッピングさせるホッピング制御部１６と、レベル検出器１５によって検出されたレベルを中心周波数毎に記憶するレベル記憶部１７ａ乃至１７ｃと、レベル記憶部１７ａ乃至１７ｃに記憶されたレベルに基づいて中心周波数毎のゲイン設定値を算出するゲイン設定値算出部１８と、ゲイン設定値算出部１８によって算出されたゲイン設定値をそれぞれ記憶するゲイン設定値記憶部１９ａ乃至１９ｃと、ゲイン設定値記憶部１９ａ乃至１９ｃに記憶されたゲイン設定値から選択した１つのゲイン設定値を中間周波数可変利得アンプ１４のゲインとして設定するゲイン設定値選択部２０とをさらに備えている。
【００２９】
なお、図１においては、３つのレベル記憶部１７ａ乃至１７ｃおよびゲイン設定値記憶部１９ａ乃至１９ｃが示されているが、Ｗｉｒｅｌｅｓｓ−ＵＳＢにおいて、チャネル数が９チャネルの場合には、３シンボルで周波数ホッピングのパターンが一巡するので、レベル記憶部およびゲイン設定値記憶部が３個必要となるためであり、本発明の無線受信装置を構成するレベル記憶部およびゲイン設定値記憶部の数を限定するものではない。また、レベル記憶部１７ａ乃至１７ｃは、本発明におけるレベル記憶手段を構成する。
【００３０】
レベル検出器１５は、周波数変換器１３によって変換された中間周波数信号のレベルを検出し、検出したレベルを中心周波数毎にレベル記憶部１７ａ乃至１７ｃにそれぞれ記憶するようになっている。なお、レベル検出器１５は、本発明におけるレベル検出手段を構成する。
【００３１】
ホッピング制御部１６は、局部発信器１２に発生される局部周波数信号の周波数をシンボルに合わせて変化させると共に、周波数変換器１３によって変換された中間周波数信号がどの中心周波数に対応しているかを表すホッピング制御信号を生成するようになっている。
【００３２】
ゲイン設定値算出部１８は、レベル記憶部１７ａ乃至１７ｃに記憶されたレベルに基づいて、中心周波数毎のゲイン設定値を算出し、算出したゲイン設定値をゲイン設定値記憶部１９ａ乃至１９ｃにそれぞれ記憶するようになっている。
【００３３】
ゲイン設定値選択部２０は、ホッピング制御信号に基づいて、ゲイン設定値記憶部１９ａ乃至１９ｃに記憶されたゲイン設定値から１つのゲイン設定値を選択し、選択したゲイン設定値で中間周波数可変利得アンプ１４のゲインを設定するようになっている。なお、ゲイン設定値算出部１８、ゲイン設定値記憶部１９ａ乃至１９ｃおよびゲイン設定値選択部２０は、本発明における利得調整手段を構成する。
【００３４】
以上のように構成された無線受信装置１について、図２を参照してその動作を説明する。図２は、無線受信装置１の各部の動作を説明するための概念図である。
【００３５】
Ｗｉｒｅｌｅｓｓ−ＵＳＢではシンボル毎に周波数ホッピングを行うチャンネルが規定されている。ホッピングのパターンは規格で決められており、例えば、９チャンネルの場合には、３．４３２ＧＨｚ、３．９６０ＧＨｚおよび４．４８８ＧＨｚの３つの中心周波数が順次選択される。図２においては、周波数１が３．４３２ＧＨｚ、周波数２が３．９６０ＧＨｚ、周波数３が４．４８８ＧＨｚをそれぞれ表している。
【００３６】
また、Ｗｉｒｅｌｅｓｓ−ＵＳＢのシンボルは、２４２ｎｓの信号期間と７０ｎｓの無信号期間とから構成される。図２においては、右方向が時刻の進行に対応し、受信信号が周波数１、周波数２、周波数３、周波数１、周波数２、周波数３といったように周波数ホッピングしていることが示されている。
【００３７】
ここで、一般的に、無線受信装置によって周波数変換された中間周波数信号は、送信装置の周波数特性、空間伝送損失特性および無線受信装置の周波数特性、すなわち、送信装置から無線受信装置までの全体パスの周波数特性の影響を受ける。
【００３８】
例えば、周波数が高いほど空間伝送損失が大きくなり、ＰＣＢなどの実装による損失が大きくなり、高周波用の低雑音アンプの利得が小さくなる傾向があるため、周波数変換された中間周波数信号は、周波数が高いほどレベルが小さくなる傾向がある。
【００３９】
したがって、図２においては、周波数変換器１３によって変換された中間周波数信号のレベルは、送信装置から無線受信装置までの全体パスの周波数特性の影響により、図中Ａ乃至Ｃで示すように、シンボル毎に異なっており、最も高い周波数３のシンボルのレベルが一番小さくなる。
【００４０】
無線受信装置１においては、まず、ホッピング制御部１６によって出力されるホッピング制御信号により、最初の中心周波数である周波数１に対する中間周波数信号Ａのレベルがレベル記憶部１７ａに記憶される。同様に、次の中心周波数である周波数２に対する中間周波数信号Ｂのレベルがレベル記憶部１７ｂに記憶され、さらに次の中心周波数である周波数３に対する中間周波数信号Ｃのレベルがレベル記憶部１７ｃに記憶される。
【００４１】
このように、周波数ホッピングのパターンが一巡して、各中間周波数信号のレベルがレベル記憶部１７ａ乃至１７ｃにそれぞれ記憶されると、記憶されたレベルから中間周波数可変利得アンプ１４に対する中心周波数毎のゲイン設定値がゲイン設定値算出部１８によって算出される。
【００４２】
ここで、各ゲイン設定値は、各中心周波数に対する中間周波数信号のレベルが均一になるようにゲイン設定値算出部１８によって算出される。具体的には、レベル記憶部１７ａ乃至１７ｃにそれぞれ記憶されたレベルが小さいほど、中間周波数可変利得アンプ１４のゲインを大きくする必要があるため、レベル記憶部１７ａ乃至１７ｃにそれぞれ記憶されたレベルの逆数に比例するよう各ゲイン設定値が算出される。
【００４３】
このように、周波数ホッピングのパターンが一巡したところで、各ゲイン設定値記憶部１９ａ乃至１９ｃに記憶された各ゲイン設定値は、ゲイン設定値選択部２０によって次の周波数ホッピングのパターンで中間周波数可変利得アンプ１４のゲインとして順次設定される。
【００４４】
例えば、図中Ｄの期間では、ゲイン設定値記憶部１９ａに記憶された周波数１に対するゲイン設定値が中間周波数可変利得アンプ１４のゲインとして設定される。同様に、次のシンボル期間では、ゲイン設定値記憶部１９ｂに記憶された周波数２に対するゲイン設定値が中間周波数可変利得アンプ１４のゲインとして設定され、その次のシンボル期間では周波数３に対するゲイン設定値が中間周波数可変利得アンプ１４のゲインとして設定される。
【００４５】
以上に説明したように、本実施の形態の無線受信装置１は、各シンボルに対する中心周波数に対して記憶済みの中間周波数信号のレベルに応じて中間周波数可変利得アンプ１４の利得を調整するため、シンボル毎に中心周波数を変化させる高速周波数ホッピング通信を行う場合に、送信装置から無線受信装置１までの全体パスの周波数特性の影響を受けずに、受信側で中間周波数信号のレベルを一定に保つことができる。
【００４６】
（第２の実施の形態）
図３は、本発明の第２の実施の形態の無線受信装置を示すブロック図である。なお、本実施の形態においては、本発明の第１の実施の形態の無線受信装置１の構成要素と同一な構成要素には、同一の符号を付して、説明を省略する。
【００４７】
Ｗｉｒｅｌｅｓｓ−ＵＳＢでは、フレーム単位でデータが転送されており、周波数ホッピングのパターンは、フレーム内で変更されない。そのため、フレーム先頭のシンボルで、周波数ホッピングのパターンが一巡すると、各中心周波数に対する中間周波数信号のレベルを検出し、各中間周波数に対するゲイン設定値を算出することができる。
【００４８】
その後、フレーム内では、各中心周波数に対する中間周波数信号のレベルと、各中間周波数に対するゲイン設定値とを更新せずに、中間周波数可変利得アンプ１４のゲインを設定することができる。
【００４９】
図４は、Ｗｉｒｅｌｅｓｓ−ＵＳＢのフレーム構造を示すフレーム構成図である。フレームの先頭は、ＰＬＣＰ（Physical layer convergence protocol）プリアンブルシンボルである。
【００５０】
このプリアンブルシンボルで各中心周波数に対する中間周波数信号のレベルと、各中間周波数に対するゲイン設定値とが決定し、プリアンブルシンボルに続くＰＬＣＰヘッダおよびＰＳＤＵ（PLCP Service Data Unit）等のデータシンボルを受信している間は、各中心周波数に対する中間周波数信号のレベルと、各中間周波数に対するゲイン設定値とを更新せずに、中間周波数可変利得アンプ１４のゲインを設定することができる。
【００５１】
図３において、無線受信装置２１は、本発明の第１の実施の形態の無線受信装置１に対して、プリアンブルシンボルを検出するプリアンブル検出部２２が設けられている。なお、プリアンブル検出部２２は、レベル検出器１５と共に、本発明におけるレベル検出手段を構成する。
【００５２】
一般にプリアンブルシンボルは、既知の波形であるため、プリアンブル検出部２２は、自己相関を使用してプリアンブルシンボルを検出するようになっている。
【００５３】
以上のように構成された無線受信装置２１において、プリアンブルシンボルがプリアンブル検出部２２によって検出されると、ホッピング制御部１６によって出力されるホッピング制御信号により、最初の中心周波数である周波数１に対する中間周波数信号Ａのレベルがレベル記憶部１７ａに記憶される。同様に、次の中心周波数である周波数２に対する中間周波数信号Ｂのレベルがレベル記憶部１７ｂに記憶され、さらに次の中心周波数である周波数３に対する中間周波数信号Ｃのレベルがレベル記憶部１７ｃに記憶される。
【００５４】
ここで、レベル記憶部１７ａ乃至１７ｃでは、プリアンブル検出部２２によって次のプリアンブルシンボルが検出されるまで、記憶したレベルの更新が禁止される。
【００５５】
このように、周波数ホッピングのパターンが一巡して、各中間周波数信号のレベルがレベル記憶部１７ａ乃至１７ｃにそれぞれ記憶されると、記憶されたレベルから中間周波数可変利得アンプ１４に対する中心周波数毎のゲイン設定値がゲイン設定値算出部１８によって算出される。
【００５６】
このように、周波数ホッピングのパターンが一巡したところで、各ゲイン設定値記憶部１９ａ乃至１９ｃに記憶された各ゲイン設定値は、ゲイン設定値選択部２０によって次の周波数ホッピングのパターンで中間周波数可変利得アンプ１４のゲインとして順次設定される。
【００５７】
以上に説明したように、本実施の形態の無線受信装置２１は、フレームの先頭のプリアンブルシンボルの中間周波数信号の各レベルを用いて中心周波数によるレベル差を補正するため、シンボル毎に中心周波数を変化させる高速周波数ホッピング通信を行う場合に、送信装置から無線受信装置２１までの全体パスの周波数特性の影響を受けずに、受信側で中間周波数信号のレベルを一定に保つことができる。
【００５８】
（第３の実施の形態）
図５は、本発明の第３の実施の形態の無線受信装置を示すブロック図である。なお、本実施の形態においては、本発明の第２の実施の形態の無線受信装置２１の構成要素と同一な構成要素には、同一の符号を付して、説明を省略する。
【００５９】
無線受信装置３１は、本発明の第２の実施の形態の無線受信装置２１に対して、ゲイン設定値算出部１８に代えて、ゲイン設定値算出部３８が設けられている。なお、ゲイン設定値算出部３８は、ゲイン設定値記憶部１９ａ乃至１９ｃおよびゲイン設定値選択部２０と共に、本発明における利得調整手段を構成する。
【００６０】
ゲイン設定値算出部３８は、レベル記憶部１７ａ乃至１７ｃに記憶されたレベルをそれぞれ平均化し、平均化した各レベルに基づいて、中心周波数毎のゲイン設定値を算出し、算出したゲイン設定値をゲイン設定値記憶部１９ａ乃至１９ｃにそれぞれ記憶するようになっている。
【００６１】
Ｗｉｒｅｌｅｓｓ−ＵＳＢのフレームには、最低でも１２シンボル分のプリアンブルシンボルが含まれる。例えば、９チャンネルのフレームの場合には、周波数ホッピングのパターンが３シンボルで一巡するため、プリアンブルシンボルの期間中に周波数ホッピングが四巡することになる。
【００６２】
したがって、各中心周波数に対して、各レベル記憶部１７ａ乃至１７ｃに記憶された４つのレベルを平均化することで、ノイズなどの影響を受けにくい安定した中間周波数信号のレベルが得られる。
【００６３】
以上に説明したように、本実施の形態の無線受信装置３１は、フレームの先頭のプリアンブルシンボルの中間周波数信号のレベルの各平均値を用いて中心周波数によるレベル差を補正するため、シンボル毎に中心周波数を変化させる高速周波数ホッピング通信を行う場合に、送信装置から無線受信装置３１までの全体パスの周波数特性の影響を受けずに、受信側で中間周波数信号のレベルを一定に保つことができる。
【００６４】
（第４の実施の形態）
図６は、本発明の第４の実施の形態の無線受信装置を示すブロック図である。なお、本実施の形態においては、本発明の第１の実施の形態の無線受信装置１の構成要素と同一な構成要素には、同一の符号を付して、説明を省略する。
【００６５】
無線受信装置４１は、本発明の第１の実施の形態の無線受信装置１に対して、レベル検出器１５に中間周波数のレベルを検出させるタイミングを指示する安定タイミング出力部４２が設けられている。なお、安定タイミング出力部４２は、レベル検出部１５と共に、本発明におけるレベル検出手段を構成する。
【００６６】
図７には、周波数変換器１３によって変換された中間周波数信号のレベルと、レベル検出器１５によって検出されたレベルとが示されている。
【００６７】
レベル検出器１５は、フィルタ特性を有しているため、入力される中間周波数信号の振幅に応じた過渡特性をもつ。Ｗｉｒｅｌｅｓｓ−ＵＳＢのシンボルには、７０ｎＳの無信号区間があるため、レベル検出器１５は、有信号区間の開始時付近では過渡特性の影響で、正しいレベルを検出することができない。
【００６８】
このため、レベル検出器１５は、有信号区間の開始時から過渡特性期間が経過したタイミングで、中間周波数のレベルを検出することが好ましい。
【００６９】
安定タイミング出力部４２は、図７に示したように、有信号区間の開始時から中間周波数信号の振幅に応じた過渡特性期間が経過したタイミングで、レベル検出器１５に中間周波数のレベルを検出させるようになっている。
【００７０】
以上に説明したように、本実施の形態の無線受信装置４１は、レベル検出器１５の過渡特性期間が経過した安定したタイミングでレベル検出器１５に中間周波数のレベルを検出させるため、中間周波数可変利得アンプ１４の利得を適切に調整することができる。
【図面の簡単な説明】
【００７１】
【図１】本発明の第１の実施の形態の無線受信装置を示すブロック図である。
【図２】本発明の第１の実施の形態の無線受信装置の各部の動作を説明するための概念図である。
【図３】本発明の第２の実施の形態の無線受信装置を示すブロック図である。
【図４】Ｗｉｒｅｌｅｓｓ−ＵＳＢのフレーム構造を示すフレーム構成図である。
【図５】本発明の第３の実施の形態の無線受信装置を示すブロック図である。
【図６】本発明の第４の実施の形態の無線受信装置を示すブロック図である。
【図７】本発明の第４の実施の形態の無線受信装置を構成する周波数変換器によって変換された中間周波数信号のレベルと、レベル検出器によって検出されたレベルと、安定タイミング出力部によって指示されるタイミングとを示すタイミングチャートである。
【符号の説明】
【００７２】
１、２１、３１、４１  無線受信装置
１０  アンテナ
１１  低雑音増幅器
１２  局部発信器
１３  周波数変換器
１４  中間周波数可変利得アンプ
１５  レベル検出器
１６  ホッピング制御部
１７ａ〜１７ｃ  レベル記憶部
１８、３８  ゲイン設定値算出部
１９ａ〜１９ｃ  ゲイン設定値記憶部
２０  ゲイン設定値選択部
２２  プリアンブル検出部
３８  ゲイン設定値算出部
４２  安定タイミング出力部
【図１】
0004876062.tif 000002
【図２】
0004876062.tif 000003
【図３】
0004876062.tif 000004
【図４】
0004876062.tif 000005
【図５】
0004876062.tif 000006
【図６】
0004876062.tif 000007
【図７】
0004876062.tif 000008